(57)【特許請求の範囲】
【請求項１】
ウエブの両側に両フランジ部を有するＨ形鋼を、該ウエブを水平方向に向けた状態で、同一平面上でＨ形鋼同士を十文字状又はＴ字状に連結してなるＨ形鋼の交差連結構造であって、第１Ｈ形鋼の一側フランジ部の下部に突設した連結部材に第２Ｈ形鋼のウエブ下方の凹溝部を嵌合し、該第２Ｈ形鋼の先端を第１Ｈ形鋼の一側フランジ部に突き当てるとともに、前記連結部材を第２Ｈ形鋼の両フランジ部にボルト止めする一方、第１Ｈ形鋼の上方に交差するアーチ部とその両端部に固定部とを有する継手部材の一方の固定部を第２Ｈ形鋼のウエブ上方の凹溝部に嵌合し、一方の該固定部を第２Ｈ形鋼の両フランジ部にボルト止めするとともに、前記継手部材の他方の固定部を第１Ｈ形鋼の他側フランジ部に連結した第３Ｈ形鋼又は該フランジ部にボルト止めすることを特徴とするＨ形鋼の交差連結構造。
【請求項２】
前記第１Ｈ形鋼の他側フランジ部の下部に突設した連結部材に第３Ｈ形鋼のウエブ下方の凹溝部を嵌合し、該第３Ｈ形鋼の先端を第１Ｈ形鋼の他側フランジ部に突き当てるとともに、前記連結部材を第３Ｈ形鋼の両フランジ部にボルト止めする一方、前記継手部材の他方の固定部を第３Ｈ形鋼のウエブ上方の凹溝部に嵌合し、他方の該固定部を第３Ｈ形鋼の両フランジ部にボルト止めし、直線状となした第２Ｈ形鋼と第３Ｈ形鋼を前記第１Ｈ形鋼に対して十文字状に交差連結してなる請求項１記載のＨ形鋼の交差連結構造。
【請求項３】
前記第１Ｈ形鋼の他側フランジ部の上部に連結板を延設し、前記継手部材の他方の固定部をアーチ部の他端部に形成した垂直な固定板とし、前記固定板を連結板に接合した状態で互にボルト止めし、前記第１Ｈ形鋼に対して第２Ｈ形鋼をＴ字状に連結してなる請求項１記載のＨ形鋼の交差連結構造。
【請求項４】
前記第１Ｈ形鋼のウエブより上方のフランジ部であって、他のＨ形鋼の先端が突き当たった部分に切欠部を形成し、第１Ｈ形鋼の上方の凹溝部と、他のＨ形鋼の上方の凹溝部を連通させてなる請求項１〜３何れかに記載のＨ形鋼の交差連結構造。
【請求項５】
請求項１、２又は４に記載のＨ形鋼の交差連結構造を用い、複数の書架を間に通路を設けて並設し、隣接する各書架の天板上方に突設した連結支柱の上端に、継手部材にて連結した前記第２Ｈ形鋼と第３Ｈ形鋼をそれぞれ取付金具にて水平に連結し、該第２Ｈ形鋼と第３Ｈ形鋼の間に十文字状に交差連結した前記第１Ｈ形鋼を隣接する書架の中間に沿って配し、該第１Ｈ形鋼のウエブに照明器具を設けてなる書架の耐震装置。
【請求項６】
最外列の書架の連結支柱の上端に、第２Ｈ形鋼の中間部を取付金具にて水平に連結し、該書架の前面側に延びた第２Ｈ形鋼の先端に継手部材によってＴ字状に連結した第１Ｈ形鋼を該書架の外側に沿って配し、該第１Ｈ形鋼のウエブに照明器具を設けてなる請求項５記載の書架の耐震装置。
【発明の詳細な説明】
【技術分野】
【０００１】
本発明は、Ｈ形鋼の交差連結構造及びそれを用いた書架の耐震装置に係わり、更に詳しくはＨ形鋼同士を同一平面で十文字状又はＴ字状に連結するＨ形鋼の交差連結構造及びそれを用いた書架の耐震装置に関するものである。
【背景技術】
【０００２】
従来から、Ｈ形鋼は建築、建設用途において広く使用されている。ここで、Ｈ形鋼を水平状態で使用する場合に、その高い曲げ強度を利用するには、Ｈ形鋼のウエブを垂直方向に向け、両フランジ部を水平方向に向けた状態で使用するのが一般的である。また、このようなＨ形鋼を直交交差させて使用することもある。
【０００３】
特許文献１には、Ｈ形鋼を同一平面で直交交差させて交差継手を用いて連結する点が開示されている。つまり、特許文献１の平面交差継手は、側面中央に貫通穴を有する直方体の左右端が角錐台形の先すぼまりに形成され、両端の角錐台形部分には、端面から貫通穴に向けて同一平面上で直交するように挿入穴が設けられ、挿入穴の先端は貫通穴の側面で閉端面となっているものである。ここで、平面交差継手の貫通穴の大きさは、縦がＨ形鋼の高さと同一で、横が前記Ｈ形鋼の幅より少し大きめに設定され、また挿入穴は、縦及び高さが前記Ｈ形鋼と同一に設定されている。
【０００４】
しかし、前述の交差継手を用いてＨ形鋼を交差連結するには、貫通穴にＨ形鋼を嵌挿するとともに、それと交差する他のＨ形鋼の端部を挿入穴に嵌挿するが、それには大きな挿入力が必要であり、施工作業性に劣るばかりでなく、分解も容易ではない。
【０００５】
また、本出願人の先願に係る特許文献２には、書架を複数並設し、各書架の天板上方に突出した連結金具の上方垂直片に、Ｔ字連杆又は倒Ｌ字連杆の垂直杆をネジ止め固定し、隣接する書架に設けた前記連杆の互いの水平杆にアーチ状の防振杆の両端を連結し、隣接する該防振杆の中央部間に連結杆を渡設するとともに、その下面に照明器具を取付けてなる組立式書架が開示されている。
【０００６】
ところで、図書館等の大型の書架では重量が重く、また書架間の通路幅が広いので、書架間に渡設される防振杆として、特に大きな曲げ強度や捩り強度が要求されるが、前述の特許文献２の防振杆は、通常のスチール製の軽量角パイプや、断面略コ字形のチャンネル部材であるので、想定外の大きな地震では強度不足になることは否めない。
【特許文献１】実開平６−７６４４４号公報（図１、図２）
【特許文献２】特許２７９５１８６号公報（図１、図２、図３）
【発明の開示】
【発明が解決しようとする課題】
【０００７】
そこで、本発明が前述の状況に鑑み、解決しようとするところは、ウエブの両側に両フランジ部を有するＨ形鋼を、該ウエブを水平方向に向けた状態で、同一平面上でＨ形鋼同士を十文字状又はＴ字状に簡単且つ強固に連結することが可能なＨ形鋼の交差連結構造を提供するとともに、複数の書架の上部間を、Ｈ形鋼を用いて連結して耐震性を付与した書架の耐震装置を提供する点にある。
【課題を解決するための手段】
【０００８】
本発明は、前述の課題解決のために、ウエブの両側に両フランジ部を有するＨ形鋼を、該ウエブを水平方向に向けた状態で、同一平面上でＨ形鋼同士を十文字状又はＴ字状に連結してなるＨ形鋼の交差連結構造であって、第１Ｈ形鋼の一側フランジ部の下部に突設した連結部材に第２Ｈ形鋼のウエブ下方の凹溝部を嵌合し、該第２Ｈ形鋼の先端を第１Ｈ形鋼の一側フランジ部に突き当てるとともに、前記連結部材を第２Ｈ形鋼の両フランジ部にボルト止めする一方、第１Ｈ形鋼の上方に交差するアーチ部とその両端部に固定部とを有する継手部材の一方の固定部を第２Ｈ形鋼のウエブ上方の凹溝部に嵌合し、一方の該固定部を第２Ｈ形鋼の両フランジ部にボルト止めするとともに、前記継手部材の他方の固定部を第１Ｈ形鋼の他側フランジ部に連結した第３Ｈ形鋼又は該フランジ部にボルト止めすることを特徴とするＨ形鋼の交差連結構造を構成した（請求項１）。
【０００９】
ここで、前記第１Ｈ形鋼の他側フランジ部の下部に突設した連結部材に第３Ｈ形鋼のウエブ下方の凹溝部を嵌合し、該第３Ｈ形鋼の先端を第１Ｈ形鋼の他側フランジ部に突き当てるとともに、前記連結部材を第３Ｈ形鋼の両フランジ部にボルト止めする一方、前記継手部材の他方の固定部を第３Ｈ形鋼のウエブ上方の凹溝部に嵌合し、他方の該固定部を第３Ｈ形鋼の両フランジ部にボルト止めし、直線状となした第２Ｈ形鋼と第３Ｈ形鋼を前記第１Ｈ形鋼に対して十文字状に交差連結してなるのである（請求項２）。
【００１０】
あるいは、前記第１Ｈ形鋼の他側フランジ部の上部に連結板を延設し、前記継手部材の他方の固定部をアーチ部の他端部に形成した垂直な固定板とし、前記固定板を連結板に接合した状態で互にボルト止めし、前記第１Ｈ形鋼に対して第２Ｈ形鋼をＴ字状に連結してなるのである（請求項３）。
【００１１】
更に、前記第１Ｈ形鋼のウエブより上方のフランジ部であって、他のＨ形鋼の先端が突き当たった部分に切欠部を形成し、第１Ｈ形鋼の上方の凹溝部と、他のＨ形鋼の上方の凹溝部を連通させてなることがより好ましい（請求項４）。
【００１２】
そして、請求項１、２又は４に記載のＨ形鋼の交差連結構造を用い、複数の書架を間に通路を設けて並設し、隣接する各書架の天板上方に突設した連結支柱の上端に、継手部材にて連結した前記第２Ｈ形鋼と第３Ｈ形鋼をそれぞれ取付金具にて水平に連結し、該第２Ｈ形鋼と第３Ｈ形鋼の間に十文字状に交差連結した前記第１Ｈ形鋼を隣接する書架の中間に沿って配し、該第１Ｈ形鋼のウエブに照明器具を設けてなる書架の耐震装置を構成した（請求項５）。
【００１３】
更に、最外列の書架の連結支柱の上端に、第２Ｈ形鋼の中間部を取付金具にて水平に連結し、該書架の前面側に延びた第２Ｈ形鋼の先端に継手部材によってＴ字状に連結した第１Ｈ形鋼を該書架の外側に沿って配し、該第１Ｈ形鋼のウエブに照明器具を設けてなることも好ましい（請求項６）。
【発明の効果】
【００１４】
以上にしてなる請求項１に係る発明のＨ形鋼の交差連結構造は、ウエブの両側に両フランジ部を有するＨ形鋼を、該ウエブを水平方向に向けた状態で、同一平面上でＨ形鋼同士を十文字状又はＴ字状に簡単且つ強固に連結することができ、また第１Ｈ形鋼のフランジ部の下部に突設した連結部材に第２Ｈ形鋼のウエブ下方の凹溝部を嵌合するので、位置決めが容易であり、また第２Ｈ形鋼の上方の凹溝部に継手部材の固定部を嵌合し、第２Ｈ形鋼のフランジ部に固定部をボルト止めするので、第２Ｈ形鋼のウエブを挟んで上下部がそれぞれ連結部材と継手部材に連結するので、上下の曲げ強度が高くなるのである。
【００１５】
請求項２によれば、第１Ｈ形鋼の上方に交差するアーチ部とその両端部に固定部とを有する継手部材を用い、また第１Ｈ形鋼の両フランジ部にそれぞれ連結部材を突設し、それぞれの連結部材を前記第２Ｈ形鋼と第３Ｈ形鋼の下方の凹溝部に嵌合してボルト止めし、アーチ部を第１Ｈ形鋼の上方に交差させて、その両端部の固定部をそれぞれ前記第２Ｈ形鋼と第３Ｈ形鋼の上方の凹溝部に嵌合してボルト止めしたので、直線状となした第２Ｈ形鋼と第３Ｈ形鋼を前記第１Ｈ形鋼に対して十文字状に簡単且つ強固に交差連結することができる。
【００１６】
請求項３によれば、第１Ｈ形鋼の上方に交差するアーチ部とその一端部に固定部と他端部に固定板を有する継手部材を用い、また第１Ｈ形鋼の一側両フランジ部に突設した連結部材を前記第２Ｈ形鋼の下方の凹溝部に嵌合してボルト止めし、アーチ部を第１Ｈ形鋼の上方に交差させて、その端部の固体板を他側フランジ部の上部に延設した連結板に接合してボルト止めしたので、前記第１Ｈ形鋼に対して第２Ｈ形鋼をＴ字状に簡単且つ強固に交差連結することができる。
【００１７】
請求項４によれば、第１Ｈ形鋼の上方の凹溝部と、他のＨ形鋼の上方の凹溝部が連通するので、上方の凹溝部を利用して複数のＨ形鋼にわたってコード類を配線したり、照明器具の安定器や継電器を下方から見えない状態で配設することが可能である。
【００１８】
請求項５に係る発明の書架の耐震装置によれば、通路を挟んで並列した各書架の上部間が、Ｈ形鋼で連結されているので、地震による揺れが発生しても、書架が倒れることがなく、そのため通路に居る利用者の安全を確保することができ、また書架の中間に沿って配したＨ形鋼のウエブに照明器具を設けることにより、通路及び通路を挟んだ両書架を効果的に照明することができ、また外観性にも優れたものとなる。
【００１９】
請求項６によれば、最外列の書架の外側にも耐震用のＨ形鋼にＴ字状に連結したＨ形鋼を利用して照明器具を設けることができる。
【発明を実施するための最良の形態】
【００２０】
次に、添付図面に示した実施形態に基づき、本発明を更に詳細に説明する。図１〜図８は本発明に係るＨ形鋼の交差連結構造を示し、図９〜図１３をＨ形鋼の交差連結構造を用いた書架の耐震装置を示している。図中符号１は第１Ｈ形鋼、２は第２Ｈ形鋼、３は第３Ｈ形鋼、４は十文字継手部材、５はＴ字継手部材、６は書架、７は通路、８は連結支柱をそれぞれ示している。
【００２１】
本発明で対象とするＨ形鋼は、ウエブ９の両側に両フランジ部１０，１０を有し、ウエブ９の下方に凹溝部１１、上方に凹溝部１２を有したものである。そして、前記ウエブ９を構成する鋼板の板厚は６ｍｍであり、前記フランジ部１０を構成する鋼板の板厚は４．５ｍｍである。そして、Ｈ形鋼は、前記ウエブ９の両側端にそれぞれフランジ部１０の幅方向中央を直角に溶接したものであり、その外形は、フランジ部１０の幅が６５ｍｍ、両フランジ部１０，１０の外面間隔が６５ｍｍである。
【００２２】
本発明に係るＨ形鋼の交差連結構造は、Ｈ形鋼のウエブ９を水平方向に向けた状態で、同一平面上でＨ形鋼同士を十文字状又はＴ字状に連結してなるＨ形鋼の交差連結構造であって、第１Ｈ形鋼１の一側フランジ部１０の下部に突設した連結部材１３に第２Ｈ形鋼２のウエブ９下方の凹溝部１１を嵌合し、該第２Ｈ形鋼２の先端を第１Ｈ形鋼１の一側フランジ部１０に突き当てるとともに、前記連結部材１３を第２Ｈ形鋼２の両フランジ部１０，１０にボルト止めする一方、第１Ｈ形鋼１の上方に交差するアーチ部１４とその両端部に固定部１５，１５とを有する継手部材４の一方の固定部１５を第２Ｈ形鋼２のウエブ９上方の凹溝部１２に嵌合し、一方の該固定部１５を第２Ｈ形鋼２の両フランジ部１０，１０にボルト止めするとともに、前記継手部材４の他方の固定部１５を第１Ｈ形鋼１の他側フランジ部１０に連結した第３Ｈ形鋼３又は該フランジ部１０にボルト止めしたものである。
【００２３】
先ず、図1〜図４に基づいて、同一平面上でＨ形鋼同士を十文字状に連結する第１実施形態を説明する。本実施形態では、前記第１Ｈ形鋼１の他側フランジ部１０の下部に突設した連結部材１３に第３Ｈ形鋼３のウエブ９下方の凹溝部１１を嵌合し、該第３Ｈ形鋼３の先端を第１Ｈ形鋼１の他側フランジ部１０に突き当てるとともに、前記連結部材１３を第３Ｈ形鋼３の両フランジ部１０，１０にボルト止めする一方、前記継手部材４の他方の固定部１５を第３Ｈ形鋼３のウエブ９上方の凹溝部１２に嵌合し、他方の該固定部１５を第３Ｈ形鋼３の両フランジ部１０，１０にボルト止めするのである。この連結状態では、第２Ｈ形鋼２と第３Ｈ形鋼３が直線状に連結されるとともに、前記第１Ｈ形鋼１に対して十文字状に交差連結している。
【００２４】
更に詳しくは、前記十文字継手部材４は、前記第１Ｈ形鋼１の上方を交差するアーチ部１４とその両側に固定部１５，１５とを有するものであり、前記アーチ部１４を形成する上面板１６の両側に直角に脚板１７，１７を垂下させ、両脚板１７，１７の中央部下半部に凹部１８をそれぞれ形成して第１Ｈ形鋼１の両フランジ部１０，１０を回避し、両脚板１７，１７の両端部を前記第２Ｈ形鋼２及び第３Ｈ形鋼３の上方凹溝部１２に内嵌する固定部１５，１５としたのである。つまり、前記各固定部１５は脚板１７，１７の一部の取付板１９，１９で構成されている。
【００２５】
また、前記第１Ｈ形鋼１の両フランジ部１０，１０の側面の下半部であって、前記第２Ｈ形鋼２及び第３Ｈ形鋼３を連結する位置には前記連結部材１３，１３を突設している。ここで、前記連結部材１３は、下方に凹溝を向けた断面略コ字形のチャンネル部材であり、前記第２Ｈ形鋼２及び第３Ｈ形鋼３の下方凹溝部１１に内嵌する大きさである。そして、前記連結部材１３を、前記第１Ｈ形鋼１の両フランジ部１０，１０の側面の下半部に直角に溶接して突設している。また、前記第１Ｈ形鋼１のウエブ９より上方のフランジ部１０であって、他のＨ形鋼の先端が突き当たった部分に切欠部２０を形成し、第１Ｈ形鋼１の上方の凹溝部１２と、他のＨ形鋼の上方の凹溝部１２を連通させている。実際には、前記切欠部２０は、前記連結部材１３の直上に形成している。
【００２６】
そして、前記第１Ｈ形鋼１の両フランジ部１０，１０に突設した連結部材１３，１３に、それぞれ前記第２Ｈ形鋼２及び第３Ｈ形鋼３の下方凹溝部１１，１１を嵌合し、該第２Ｈ形鋼２及び第３Ｈ形鋼３の両フランジ部１０，１０をボルト２１，…にて連結部材１３に固定する。それから、前記第１Ｈ形鋼１を交差するように、上方から継手部材４の両固定部１５，１５をそれぞれ前記第２Ｈ形鋼２及び第３Ｈ形鋼３の上方凹溝部１２，１２に嵌合し、該第２Ｈ形鋼２及び第３Ｈ形鋼３の両フランジ部１０，１０をボルト２２，…にて固定部１５に連結するのである。
【００２７】
次に、図５〜図８に基づいて、同一平面上でＨ形鋼同士をＴ字状に連結する第２実施形態を説明する。本実施形態では、前記第１Ｈ形鋼１の他側フランジ部１０の上部に連結板２３を延設し、前記継手部材５の他方の固定部１５をアーチ部１４の他端部に形成した垂直な固定板２４とし、前記固定板２４を連結板２３に接合した状態で互にボルト止めし、前記第１Ｈ形鋼１に対して第２Ｈ形鋼２をＴ字状に連結するのである。
【００２８】
更に詳しくは、前記Ｔ字継手部材５は、一方の固定部１５のみが前記十文字継手部材４と異なり、前記アーチ部１４を構成する上面板１６の端部に相当する位置で両脚板１７，１７を切断し、両脚板１７，１７の端縁間に前記固定板２４を渡設したものである。本実施形態では、前記連結板２３を設けた第１Ｈ形鋼１の他側フランジ部１０には、連結部材１３を設けず、また切欠部２０も設けない以外は、前述の第１実施形態と同様であるので、同一構成には、同一符号を付してその説明は省略する。
【００２９】
そして、前記第１Ｈ形鋼１のフランジ部１０に突設した連結部材１３に、前記第２Ｈ形鋼２の下方凹溝部１１を嵌合し、該第２Ｈ形鋼２のフランジ部１０，１０をボルト２１，…にて連結部材１３に固定する。それから、前記第１Ｈ形鋼１を交差するように、上方から継手部材５の取付板１９，１９からなる固定部１５を前記第２Ｈ形鋼２の上方凹溝部１２に嵌合し、該第２Ｈ形鋼２の両フランジ部１０，１０をボルト２２，…にて固定部１５に連結するとともに、前記他方の固定部１５となる固定板２４を、連結部材１３を固定したフランジ部１０とは反対側のフランジ部１０の上方へ延設した連結板２３に接合し、両板をボルト２５，２５で連結するのである。ここで、前記連結板２３は、それを延設するフランジ部１０と一体でも、また別体物をフランジ部１０に溶接しても良い。
【００３０】
尚、本実施形態では、第１Ｈ形鋼１のフランジ部１０に連結板２３を延設したが、該連結板２３を設けずに、前記継手部材５の上面板１６の端部に、前記取付板１９と同一上下寸法の固定板２４を設け、該固定板２４を他方のフランジ部１０の内面に接合した状態で、両板をボルト２５にて連結することも可能である。
【００３１】
最後に、図４、図８、図９〜図１３に基づいて、前述のＨ形鋼の交差連結構造を用いた書架の耐震装置を説明する。この書架の耐震装置は、複数の書架６，…を間に通路７を設けて並設し、隣接する各書架６，６の天板２６上方に突設した連結支柱８の上端に、継手部材４にて連結した前記第２Ｈ形鋼２と第３Ｈ形鋼３をそれぞれ取付金具２７にて水平に連結し、該第２Ｈ形鋼２と第３Ｈ形鋼３の間に十文字状に交差連結した前記第１Ｈ形鋼１を隣接する書架６，６の中間に沿って配し、該第１Ｈ形鋼１のウエブ９に照明器具２８を設けたものである。更に、最外列の書架６の連結支柱８の上端に、第２Ｈ形鋼２の中間部を取付金具２７にて水平に連結し、該書架６の前面側に延びた第２Ｈ形鋼２の先端に継手部材５によってＴ字状に連結した第１Ｈ形鋼１を該書架６の外側に沿って配し、該第１Ｈ形鋼１のウエブ９に照明器具２８を設けている。
【００３２】
ここで、図４に基づいて、前記書架６の天板２６上方に突設した連結支柱８の上端に、前記取付金具２７を用いて第２Ｈ形鋼２あるいは第３Ｈ形鋼３の長手方向中間部を連結する構造を簡単に説明する。前記連結支柱８は、角パイプで構成し、前記取付金具２７は、Ｌ字金具で構成している。前記取付金具２７の垂直片２７Ａを前記連結支柱８の内部の上端から挿入して、一側面に接合した状態でボルト２９，２９にて連結し、また連結支柱８の対面する他側面にも同様に取付金具２７の垂直片２７Ａを連結し、前記連結支柱８の上端部に位置する両取付金具２７，２７の水平片２７Ｂ，２７Ｂを、前記第２Ｈ形鋼２あるいは第３Ｈ形鋼３の下方凹溝部１１内でウエブ９の下面にボルト３０，…にて連結する。
【００３３】
前記書架６の天板２６の上方に所定間隔をおいて複数の連結支柱８，…を立設し、各連結支柱８に前記第２Ｈ形鋼２あるいは第３Ｈ形鋼３をＴ字状に連結するとともに、隣接する両書架６，６間の中央部で、第２Ｈ形鋼２と第３Ｈ形鋼３との間に第１Ｈ形鋼１を介在させて前記十文字継手部材４を用いて交差連結する。第１Ｈ形鋼１は所定の長さを有し、他の第１Ｈ形鋼１とは直線状に連結片等を用いて連結する。同様に、最外列の書架６から手前に延びた前記第２Ｈ形鋼２の先端には、前記Ｔ字継手部材５を用いて第１Ｈ形鋼１を交差連結する。ここで、前記連結支柱８は、書架６の本体を構成する図示しない支柱の上端に延長する状態で連結することが、強度の面で好ましい。
【００３４】
前記第１Ｈ形鋼１のウエブ９の適所に、開口部３１を形成し、該開口部３１に照明器具２８を臨ませて取付けている。そして、前記第１Ｈ形鋼１には交差連結部に切欠部２０を設けているので、全てのＨ形鋼の上方凹溝部１２が連通しており、それにより前記照明器具２８に接続するコード類を任意に配線することができる。また、Ｈ形鋼の上方凹溝部１２は、下方から見えないので、該凹溝部１２内に照明器具２８の安定器や継電器を配設することで外観性を損なわないようにできる。また、Ｈ形鋼の適所に人感センサーを設置し、人が近づいたときにのみ、照明器具２８を点灯するようにすることも省エネルギーの観点から好ましい。
【００３５】
前記書架６の耐震性向上に寄与するのは、前記第２Ｈ形鋼２と第３Ｈ形鋼３であり、地震の際の揺れによって、継手部材４によって連結された第２Ｈ形鋼２と第３Ｈ形鋼３には、引張り力や圧縮力が作用し、また僅かに捩れ力も作用するが、強度の高いＨ形鋼を用い、しかも継手部材４により他のＨ形鋼を介在させた状態で強固に連結しているので、確実に書架６の揺れを最小限に抑制して倒れを防止し、もって通路７にいる利用者の安全を確保することができるのである。
【００３６】
図９〜図１１に示したものは、第１Ｈ形鋼１の長手方向に沿って、不等間隔に第２Ｈ形鋼２と第３Ｈ形鋼３を交差連結した態様であり、また図１２及び図１３に示したものは、等間隔に第２Ｈ形鋼２と第３Ｈ形鋼３を交差連結した態様である。
【図面の簡単な説明】
【００３７】
【図１】本発明に係るＨ形鋼の交差連結構造の第１実施形態で、十文字交差連結する構造を示す要部斜視図である。
【図２】同じく連結部を第２Ｈ形鋼の部分で破断した断面図である。
【図３】同じく連結部を第１Ｈ形鋼の部分で破断した断面図である。
【図４】同じく分解斜視図である。
【図５】本発明に係るＨ形鋼の交差連結構造の第２実施形態で、Ｔ字交差連結する構造を示す要部斜視図である。
【図６】同じく連結部を第２Ｈ形鋼の部分で破断した断面図である。
【図７】同じく連結部を第１Ｈ形鋼の部分で破断した断面図である。
【図８】同じく分解斜視図である。
【図９】本発明に係る書架の耐震装置の実施形態を示す斜視図である。
【図１０】同じく平面図である。
【図１１】同じく正面図である。
【図１２】書架の耐震装置の変形例を示す平面図である。
【図１３】同じく変形例の正面図である。
【符号の説明】
【００３８】
１  第１Ｈ形鋼          ２  第２Ｈ形鋼
３  第３Ｈ形鋼          ４  継手部材
５  継手部材            ６  書架
７  通路                ８  連結支柱
９  ウエブ              １０  フランジ部
１１  凹溝部            １２  凹溝部
１３  連結部材          １４  アーチ部
１５  固定部            １６  上面板
１７  脚板              １８  凹部
１９  取付板            ２０  切欠部
２１  ボルト            ２２  ボルト
２３  連結板            ２４  固定板
２５  ボルト            ２６  天板
２７  取付金具          ２７Ａ  垂直片
２７Ｂ  水平片          ２８  照明器具
２９  ボルト            ３０  ボルト
３１  開口部
【図１】
0004730015.tif 000002
【図２】
0004730015.tif 000003
【図３】
0004730015.tif 000004
【図４】
0004730015.tif 000005
【図５】
0004730015.tif 000006
【図６】
0004730015.tif 000007
【図７】
0004730015.tif 000008
【図８】
0004730015.tif 000009
【図９】
0004730015.tif 000010
【図１０】
0004730015.tif 000011
【図１１】
0004730015.tif 000012
【図１２】
0004730015.tif 000013
【図１３】
0004730015.tif 000014